(57)【特許請求の範囲】
【請求項１】
キャビネットの外側面に取り付けられ、内部にキャビネット用の制御装置を内蔵した制御ボックスの取付構造において、
前記制御ボックスはボックス本体とカバー体とで構成され、前記ボックス本体は上方に向かって立設された平板状の基片と、基片の一方の端部より前方に向かって延設してキャビネット外側面に連結される側片とから成り、前記カバー体は、前記基片と平行して配置された平板状の前面板と、前面板の他方の端部より基片の他方の端部に向かって延設した側面板とから成り、前記ボックス本体とキャビネット外側面に対し前記カバー体を着脱可能に取り付けて制御ボックス空間を閉塞或いは開放可能にしたことを特徴とする制御ボックスの取付構造。
【請求項２】
前記カバー体の前面板の一方の端部における側端面にネジ孔が形成されていると共に、キャビネット外側面の前記ネジ孔に相対する位置に挿通孔が形成されており、キャビネット内部より、取付ネジが挿通孔を介して、カバー体のネジ孔に螺合することによって、カバー体がキャビネットに固着されている請求項１に記載の制御ボックスの取付構造。
【請求項３】
前記ボックス本体の側片の外側面にネジ孔が形成されていると共に、キャビネット外側面の前記ネジ孔に相対する位置に挿通孔が形成されており、キャビネット内部より、取付ネジが挿通孔を介して、側片のネジ孔に螺合することによって、ボックス本体がキャビネットに固着されている請求項１または２に記載の制御ボックスの取付構造。
【請求項４】
前記ボックス本体に棚板が取り付けられている請求項１乃至３のいずれかに記載の制御ホックスの取付構造。
【請求項５】
前記基片の他方の側端部前面に、後方に向かって凹設され、前記カバー体の側面板の後端部が嵌合可能な嵌合溝が形成されている請求項１乃至４のいずれかに記載の制御ボックスの取付構造。
【請求項６】
前記基片の嵌合溝内側面と、前記カバー体の嵌合溝への前記後端部の嵌入する側面の互いに対面する少なくともいずれか一方側に、合成樹脂製のスライダーが設けられている請求項５に記載の制御ボックスの取付構造。
【請求項７】
前記制御ボックス上部を、前記ボックス本体上端部とカバー体上端部とに螺着された平板状の上部カバー材によって閉塞した請求項１乃至６のいずれかに記載の制御ボックスの取付構造。
【請求項８】
前記ボックス本体の側片前端側より前方のキャビネット外側面に配線挿通孔が形成されている請求項１乃至７のいずれかに記載の操作ホックスの取付構造。
【発明の詳細な説明】
【技術分野】
【０００１】
本発明は、キャビネットの外側面に取り付けられ、内部にキャビネット用の制御装置を内蔵した制御ボックスの取付構造に関する。
【背景技術】
【０００２】
近年、オフィス等の執務空間にて使用されるキャビネットにおいては、併設された複数のキャビネットの施開錠を一括操作出来る様にしたものや、キャビネット内に収容された物品の出し入れ履歴を管理することによって、セキュリティ性を向上させたものが使用されるケースが多くなってきている。こうしたキャビネットでは、施開錠を制御する機器や、物品の出し入れ履歴を管理する機器を収容すると共に、キャビネットの操作を行うための操作部が形成された制御ボックスを設置するのが一般的であった。
【０００３】
こうした制御ボックスを設置する場合においては、床面から立設され、側方に向かって開口する箱状の制御ボックスに、あらかじめ制御機器や操作機器を取り付けると共に、外部との通信線や電源線を結線した後、制御ボックスを固定手段によって、キャビネット側面に固着する方法が取られることが多い。また、操作ボックス前面に作業用開口部を形成することによって、操作ボックスをキャビネット側面に取り付けた後にも、前面カバーを外して開口部からのメンテナンスや、調整作業を実施可能としたものが有った（特許文献１，２，３）。
【０００４】
【特許文献１】特開２００４−２８５６０２公報（段落００１９〜００２１、図２）
【特許文献２】実開平０４−０５８０３７号公報（第５図）
【特許文献３】特許２９０６２８３号公報（第１図）
【発明の開示】
【発明が解決しようとする課題】
【０００５】
しかしながら、特許文献１においては、全ての結線および機器を事前に操作ボックスに取り付けておかなければならないので、メンテナンスや、再調整が必要となった場合には、制御ボックスごと取り外さなければならず作業性が悪かった。また、特許文献２，３においては、作業可能な部分は前方の開口部のみとなってしまうので、制御ボックスを取付状態で可能な作業は、ある程度限られてしまうという問題を有している。また、前面カバーを前方より取り付けなければならないので、取付手段が前面に露呈してしまい、体裁が悪くなると共に、セキュリティ性においても問題を有していた。
【０００６】
本発明は、このような問題点に着目してなされたもので、制御ボックスヘの機器の設置、メンテナンス、調整等の作業空間を広く取って作業性を良好とすると共に、作業後は制御ボックス空間を外部から容易に閉塞できる制御ボックスの取付構造を提供することを目的とする。
【課題を解決するための手段】
【０００７】
上記課題を解決するために、本発明の請求項１に記載の制御ボックスの取付構造は、キャビネットの外側面に取り付けられ、内部にキャビネット用の制御装置を内蔵した制御ボックスの取付構造において、前記制御ボックスはボックス本体とカバー体とで構成され、前記ボックス本体は上方に向かって立設された平板状の基片と、基片の一方の端部より前方に向かって延設してキャビネット外側面に連結される側片とから成り、前記カバー体は、前記基片と平行して配置された平板状の前面板と、前面板の他方の端部より基片の他方の端部に向かって延設した側面板とから成り、前記ボックス本体とキャビネット外側面に対し前記カバー体を着脱可能に取り付けて制御ボックス空間を閉塞或いは開放可能にしたことを特徴としている。
この特徴によれば、ボックス本体とキャビネット外側面に対しカバー体を装着していない状態では、ボックス本体の前面および、キャビネット外側面と対向する側が連続した開放部として開放されるので、作業空間を十分に確保することが可能であり、作業後はカバー体を装着して制御ボックス空間を外部から閉塞して、制御装置を保護することができる。
【０００８】
本発明の請求項２に記載の制御ボックスの取付構造は、請求項１に記載の制御ボックスの取付構造であって、前記カバー体の前面板の一方の端部における側端面にネジ孔が形成されていると共に、キャビネット外側面の前記ネジ孔に相対する位置に挿通孔が形成されており、キャビネット内部より、取付ネジが挿通孔を介して、カバー体のネジ孔に螺合することによって、カバー体がキャビネットに固着されていることを特徴としている。
この特徴によれば、カバー体がキャビネット内部より取付ネジによって螺着されているので、キャビネットヘのカバー体の取付部が外部に露呈することが無く、またカバー体の着脱がキャビネット内部からしか操作できないので、セキュリティ性を高めることができる。
【０００９】
本発明の請求項３に記載の制御ボックスの取付構造は、請求項１または２に記載の制御ボックスの取付構造であって、前記ボックス本体の側片の外側面にネジ孔が形成されていると共に、キャビネット外側面の前記ネジ孔に相対する位置に挿通孔が形成されており、キャビネット内部より、取付ネジが挿通孔を介して、側片のネジ孔に螺合することによって、ボックス本体がキャビネットに固着されていることを特徴としている。
この特徴によれば、ボックス本体が、キャビネット内部より取付ネジによって螺着されているので、キャビネットヘのボックスの取付部が外部に露呈することが無く、またボックス本体の着脱がキャビネット内部からしか操作できないので、セキュリティ性を高めることができる。
【００１０】
本発明の請求項４に記載の制御ボックスの取付構造は、請求項１乃至３のいずれかに記載の制御ボックスの取付構造であって、前記ボックス本体に棚板が取り付けられていることを特徴としている。
この特徴によれば、ボックス本体の、例えば基片と側片を利用して棚板を取付けることにより、機器の載置や、配線等の収納整理を容易に行うことができる。
【００１１】
本発明の請求項５に記載の制御ボックスの取付構造は、請求項１乃至４のいずれかに記載の制御ボックスの取付構造であって、前記基片の他方の側端部前面に、後方に向かって凹設され、前記カバー体の側面板の後端部が嵌合可能な嵌合溝が形成されていることを特徴としている。
この特徴によれば、基片の他方の側端部前面に、後方に向かって凹設された嵌合溝が形成されており、嵌合溝に、カバー体の側面板の後端部が嵌合することによって、カバー体がボックス本体に取付けられるので、キャビネット側方に作業用空間が確保できない場合においても、カバー体を前方からの操作で取付けることができるので、設置場所の選択度を広げることができる。
【００１２】
本発明の請求項６に記載の制御ボックスの取付構造は、請求項５に記載の制御ボックスの取付構造であって、前記基片の嵌合溝内側面と、前記カバー体の嵌合溝への前記後端部の嵌入する側面の互いに対面する少なくともいずれか一方側に、合成樹脂製のスライダーが設けられていることを特徴としている。
この特徴によれば、カバー体がスライダーを介してより円滑に嵌合溝に案内されるので、容易にカバー体をボックス本体に取り付けることができる。
【００１３】
本発明の請求項７に記載の制御ボックスの取付構造は、請求項１乃至６のいずれかに記載の制御ボックスの取付構造であって、前記制御ボックス上部を、前記ボックス本体上端部とカバー体上端部とに螺着された平板状の上部カバー材によって閉塞したことを特徴としている。
この特徴によれば、ボックス本体上端部とカバー体上端部とに螺着された上部カバー材によって、ボックス本体とカバー体を強固に連結することができると共に、制御ボックス上面を外部から遮蔽して制御装置の保護を図ると共に、制御ボックスの外観を体裁良く整えることができる。
【００１４】
本発明の請求項８に記載の制御ボックスの取付構造は、請求項１乃至７のいずれかに記載の制御ボックスの取付構造であって、前記ボックス本体の側片前端側より前方のキャビネット外側面に配線挿通孔が形成されていることを特徴としている。
この特徴によれば、ボックス本体の側片前端と、カバー体の前面板との間を、キャビネットヘの配線挿通用空間とすることができるから、キャビネット外側面に形成した配線挿通孔を介しての通線作業がし易い。
【発明を実施するための最良の形態】
【００１５】
本発明の実施例を以下に説明する。
【実施例】
【００１６】
図１は、本発明の実施例における制御ボックスが設けられたキャビネットの全体像を示す正面図であり、図２は、制御ボックスおよび、この制御ボックスに取り付けられる各部材の分解組立斜視図であり、図３は、制御ボックスのボックス本体をキャビネットに組み付ける過程を示す断面図であり、図４（ａ）は、ボックス本体に棚板を取り付ける斜視図であり、図４（ｂ）は、ボックス本体に底板を取り付ける斜視図であり、図５（ａ）は、カード読取装置の組み立てを示す斜視図であり、図５（ｂ）は、カード読取装置を制御ボックスのカバー体に取り付ける斜視図であり、図６は、制御ボックス内に設けられる各制御装置とカード読取装置の配置位置および、これら各装置の配線構造を示す一部破断側面図であり、図７は、ボックス本体およびキャビネットにカバー体を組み付ける断面図であり、図８（ａ）は、ボックス本体の基片側端部前面の嵌合溝およびカバー体の側面板後端部への各スライダーの取り付けを示す要部拡大断面図であり、図８（ｂ）は、各スライダーによって基片の嵌合溝内にカバー体の側面板後端部が嵌入される要部拡大断面図であり、図８（ｃ）は、嵌合溝内に側面板後端部が嵌合された状態を示す要部拡大断面図であり、図９は、制御ボックスが組み立てられた状態を示す断面図であり、図１０は、制御ボックス上部を閉塞する上部カバー材の取り付けを示す斜視図である。
【００１７】
図１に示されるように制御ボックス１９を備えたキャビネット１は、主に企業の各種書類の管理室や倉庫に設置されており、キャビネット１を構成する複数の上下段の什器に設けられた旋解錠が、後述する制御ボックス１９内の制御装置５５（図６参照）によって各々制御されるとともに、各上下段の什器内に収納される複数の物品１３・・・の収納状態も個別に管理されている。尚、本実施例においては、図１に図示されたキャビネット１を対面した状態で見て、キャビネット１の手前側を前方とし、キャビネット１の奥行き側を後方とし、制御ボックス１９が取り付けられるキャビネット外側面２側を右方、その反対側面側を左方として説明する。
【００１８】
制御ボックス１９の正面の中央内部には、ＲＦＩＤリーダ／ライタ機能を備えた非接触式のカード読取装置が取り付けられており、この中央外部には利用者認証カード（本実施例においてはＩＣチップ搭載ＲＦＩＤ対応のＩＤカード）をカード読取装置に読取らせるカード読取部５０ａが設けられ、また、上部左右に施錠確認ランプ５０ｂと解錠確認ランプ５０ｃが設けられている。カード読取部５０ａの下方位置には、マニュアルキーで施開錠操作可能な鍵穴を備えた全施解錠装置６０が取り付けられている。また、特に図示しないが制御ボックス１９内にはスピーカーが内蔵されており、エラー報知等を外部に告知可能になっている。
【００１９】
キャビネット１は、キャビネット１の上下段にそれぞれ設けられた３つの上段什器６，７，８と、３つの下段什器９，１０，１１とから構成され、これら各什器６〜１１毎に収容内部へのアプローチが規制できる従来公知の両開き式扉や引出し、および引戸等の規制部材が備えられている。規制部材にアプローチの規制がされていない場合には、各什器６〜１１の扉にそれぞれ形成された手掛部１２から扉を開放して、収容部にアプローチでき書類・書籍やファイルケース等の物品１３の格納および取り出しを行えるようになっている。
【００２０】
上段什器６、７、８および下段什器９，１０，１１には、それぞれ施解錠報知ランプ４と、電子錠機能を備え且つマニュアルキーで施開錠操作可能な鍵穴を備えた施解錠装置５が設けられている。各施解錠装置５は、扉の開放を抑止又は抑止の解除を行う係止部材（図示省略）を含み、施解錠装置５毎に施錠または解錠信号を受けるか、マニュアルキーで施錠または解錠操作されることにより、係止部材を作動して扉の開放を抑止又は抑止の解除を行うことができる。
【００２１】
各施解錠装置５が旋錠されると、それぞれ対応する係止部材が係止作用して、各々の扉の開扉が不能となり（扉の開放が抑止＝規制部材へのアプローチが規制される）、各施解錠装置５が解錠されると、それぞれ対応する係止部材の係止作用が解除され（扉の開放の抑止の解除）、各々の扉の開扉が可能となる。扉の開扉不能状態においては、施解錠報知ランプ４が消灯され、扉の開扉可能状態においては、施解錠報知ランプ４が点灯された状態になる。
【００２２】
特に図示しないが、各什器６〜１１内の物品１３には、個々にＩＣチップを備えたＲＦＩＤタグが取り付けられるとともに、各什器６〜１１の内部には、ＲＦＩＤタグを介してＩＣチップ内の情報を読出可能なＲＦＩＤリーダ／ライタ機能を備えたＲＦＩＤアンテナがそれぞれ設けられており、これらＲＦＩＤアンテナは制御ボックス１９内の制御装置５５に接続されている。
【００２３】
つまり、各什器６〜１１内の物品１３の全ての収納状態が制御装置５５によって管理されており、例えば、キャビネット１の管理責任者は、パソコンで制御装置５５にアクセスすることで、個別の物品毎に利用履歴の管理や什器の運用管理状況を閲覧することができ、目的の物品の検索も容易に行うことができる。さらに、制御装置５５には前述した各施解錠報知ランプ４および各施解錠装置５や、カード読取装置、施解錠確認ランプ５０ｂ，解錠確認ランプ５０ｃが接続され、制御装置５５によって一元的に制御されている。
【００２４】
通常、利用者がキャビネット１内の物品１３を持ち出したい場合、または物品１３を収納したい場合には、利用者に予め付与された利用者認証カードをカード読取部５０ａにかざすことで、利用者認証カード内の情報が読み出されて制御装置５５内部で認証が行われ、利用者認証カードが制御装置５５の識別情報に一致する場合のみ、予め点灯される施錠確認ランプ５０ｂが消灯されて解錠確認ランプ５０ｃが点灯され、この利用者認証カードで許可される什器に該当する施解錠装置５のみが解錠されるとともに、同什器の施解錠報知ランプ４が点灯され利用者に向けて目的の物品１３が収納される什器の場所が報知され、この什器の扉を開放して物品１３の持ち出しが可能となる。
【００２５】
利用者が解錠された什器を施錠したい場合には、この什器の扉を閉塞して再度、利用者認証カードをカード読取部５０ａにかざすことで、制御装置５５内部で認証が行われ、利用者認証カードが制御装置５５内の識別情報に一致する場合のみ、解錠確認ランプ５０ｃが消灯されて施錠確認ランプ５０ｂが点灯され、この利用者認証カードで許可される什器に該当する施解錠装置５のみが施錠されるとともに、同什器の施解錠報知ランプ４が消灯される。
【００２６】
尚、例えば制御ボックス１９内の制御装置５５のシステムエラー等の緊急時には、手動の鍵操作によって外部から各施解錠装置５の施解錠を個々に行うこともできるが、制御ボックス１９側の全施解錠装置６０をマニュアルキーで鍵操作することで、全ての施解錠装置５に施解錠信号が伝達され、全ての什器６〜１１の施解錠を一斉に行える構成となっている。
【００２７】
次に、図２〜図１０に基づいて、以下に制御ボックス１９について具体的に説明する。
【００２８】
図２に示されるように、制御ボックス１９は、キャビネット外側面２の後方に取り付けられるボックス本体２０と、前方に取り付けられるカバー部材３０とで構成され、両者とも金属板の折り曲げにより成型されている。キャビネット外側面２には後方側にキャビネット１内部に貫通する挿通孔２ｂが上下に４箇所形成され、同様して前方側にキャビネット１内部に貫通する挿通孔２ｃが上下に４箇所形成されている。キャビネット外側面２の下部中央位置には、キャビネット１内部に貫通する側面視横長矩形の配線挿通孔２ａが形成され、後述する複数本のケーブルを配線可能になっている。
【００２９】
ボックス本体２０は、上方に向けて立設された平板状の基片２１と、この基片２１の一方の端部より前方に向かって延設してキャビネット外側面２に連結される側片２５とから成り、上面視略Ｌ字状に形成されている。基片２１の他方の端部である側端部２７の前面には、上下方向に延びる補強部２２が前方に向けて凸設して溶着されている。同様に側片２５の右側面には、上下方向に延びる補強部２６が右方に向けて凸設して溶着されている。側端部２７と補強部２２との間には後方に向けて凹設される嵌合溝２８が上下の長さ方向に形成され、後述において説明するカバー体３０の側面板３５の後端部３６が凹入可能になっている。
【００３０】
補強部２６の内部側の側片２５には、ナット２５ａが上下方向に向けて４箇溶着されている。補強部２２の前面には、２つの棚板４５，４５をそれぞれ取り付け可能な係合孔２２ａが前後方向に貫通して上下に２箇所形成され、さらに下方には底板４６を取り付け可能なナット２２ｃが２つ形成されている。補強部２２の右側面には、後述するスライダーを取り付けるスライダー取付穴２２ｂが上下に４箇所（一部図示略）形成されている。棚板４５および底板４６は金属板の折り曲げによって成型され、後述する制御装置５５および電源装置５７（図６参照）等の取り付け部材となっている。また、底板４６の底部には高さ調整の行えるアジャスタ４６ｃが設けられる。
【００３１】
カバー部材３０は、前述した基片２１と平行して配置され上方に向けて立設された平板状の前面板３１と、この前面板３１の他方の端部より基片２１の側端部２７に向かって延設した側面板３５と、前面板３１の一方の端部を構成する後方に向けて延設した側端板３２から成り、上面視略逆Ｌ字状に形成されている。側端板３２の側端面には、左右に貫通するナット３２ａが上下方向に向けて４箇所（一部図示略）溶着されている。
【００３２】
側面板３５の後端部３６の左側面には、後述するスライダーを取り付けるスライダー取付穴３６ａが上下に４箇所（一部図示略）形成されている。前面板３１には矩形の開口３１ａが形成され、ユニットカバー５４および取付板５２，５３を取り付け可能になっている。開口３１ａへのカード読取装置（ＲＦＩＤリーダ／ライタユニット）の取り付けについては後述において説明する。ボックス本体２０およびカバー体３０の上部には、金属板からなる上部カバー材４０を取り付け可能になっている。
【００３３】
上記したボックス本体２０のナット２５ａは、キャビネット外側面２の挿通孔２ｂに対して相対する位置で形成されており、カバー体３０のナット３２ａは、キャビネット外側面２の挿通孔２ｃに対して相対する位置で形成されている（図６参照）。また、カバー体３０のスライダー取付穴３６ａにおいては、ボックス本体２０のスライダー取付穴２２ｂに相対する位置で形成されている。
【００３４】
図３に示されるように、キャビネット１にボックス本体２０を取り付けるには、ボックス本体２０を前方から後方に向けて側片２５をキャビネット外側面２に沿うように移動し、挿通孔２ｂにナット２５ａを重ね合わせた位置で、取付ネジ１５をキャビネット内部３から挿通孔２ｂを介してナット２５ａに螺合することで、ボックス本体２０がキャビネット１に固着される。
【００３５】
図４（ａ）に示されるように、棚板４５は、棚部４５−１と、その棚部４５−１の右側端から上方に向けて延設された背板４５−２と、棚部４５−１の左側端から下方に延びる連結片４５ｂと、から一体的に構成されている。棚板４５の背板４５−２の後端には係合片４５ａが設けられ、連結片４５ｂには左右方向に貫通するネジ貫通孔４５ｃが前後一対で形成されている。この一対のネジ貫通孔４５ｃ，４５ｃに相対する位置で、補強部２６の右側面にはナット２６ａ，２６ａが溶着されている。
【００３６】
棚板４５の取り付けには、棚板４５の係合片４５ａの後端部を補強部２２の係合孔２２ａに差し込んで仮固定したのち、ナット２６ａ，２６ａにネジ貫通孔４５ｃ，４５ｃを重ね合わせ、一対のネジ４３，４３をネジ貫通孔４５ｃ，４５ｃを介して、ナット２６ａ，２６ａに螺合することで、ボックス本体２０に棚板４５が固着される。このように棚板４５が基片２１と側片２５の補強部２２，２６を利用して取り付けられているので、棚板４５に制御装置５５等が設置され荷重が加わった場合であっても、安定して支持可能な構成となっているとともに、制御装置５５や通信ケーブル５８，給電ケーブル５９の配線等の収納整理を容易に行うことができる。
【００３７】
図４（ｂ）に示されるように、底板４６には後端から補強部２２の前面と平行になるように連結片４６ａが設けられ、この連結片４６ａには前後方向に貫通するネジ貫通孔４６ｂ，４６ｂが上下一対で形成されている。補強部２２の前面には一対のネジ貫通孔４６ｂ，４６ｂに相対する位置で上下一対のナット２２ｃ，２２ｃが設けられている。
【００３８】
底板４６の取り付けには、ナット２２ｃ，２２ｃにネジ貫通孔４６ｂ，４６ｂを重ね合わせ、一対のネジ４３，４３をネジ貫通孔４６ｂ，４６ｂを介して、ナット２２ｃ，２２ｃに螺合することで、ボックス本体２０に底板４６が固着される。尚、底板４６の底部はアジャスタ４６ｃ（図２参照）によって支持されている。
【００３９】
図５に示されるように、カード読取装置５１の組み立てについて説明する。図５（ａ）に示されるように、金属板の折り曲げ成型によって取付板５２，５３が各々成型され、一方の取付板５２には利用者認証カードの情報を読み取り可能なカード読取装置が取り付けられるとともに、カード読取装置５１、施錠確認ランプ５０ｂ、解錠確認ランプ５０ｃあるいはスピーカー等を制御する基板に接続された通信ケーブル５８が配線されている。そして、取付板５２が他方の取付板５３に対して一対のネジ４１，４１で螺着されている。
【００４０】
次いで、図５（ｂ）に示されるように、前面板３１背面の開口３１ａ近傍の上下位置には取付片３１ｂ，３１ｂが溶接されており、取付片３１ｂ，３１ｂの背面に取付板５３を一対のネジ４２，４２で各々螺着することで、取付板５３が側面板３５と側端板３２の間に嵌合される。そして、ユニットカバー５４を前面板３１の前方から開口３１ａを介して取付板５３の前面に接着剤等で固定することで、カード読取装置５１や施錠確認ランプ５０ｂおよび解錠確認ランプ５０ｃやスピーカー等が外部から保護される（図１参照）。
【００４１】
図６に示されるように、カバー体３０をボックス本体２０に向けて移動させ、キャビネット外側面２に取り付ける前工程として、棚板４５に制御装置５５，５５を載置固定し、これら制御装置５５，５５に取付板５２からの複数の通信ケーブル５８・・・を接続するとともに、前述したキャビネット１の上下段什器６〜１１に設けられた各施解錠報知ランプ４および各施解錠装置５や各ＲＦＩＤアンテナに接続された複数の通信ケーブル５８・・・を配線挿通孔２ａを介してキャビネット外側面２の外方に向けて通線し、制御装置５５，５５に接続することで、これら複数の機器が制御装置５５，５５によって中央制御されている。尚、底板４６には電源装置５７が載置固定され、制御装置５５，５５とキャビネット１内の電気供給を必要とする機器とが給電ケーブル５９を介して接続され、安定した電気供給が行われている。
【００４２】
ボックス本体２０の上下４箇所のスライダー取付穴２２ｂと、カバー体３０の上下４箇所のスライダー取付穴３６ａには、図７および図８（ａ）に示されるように、予め合成樹脂製のテーパー面を有する同一形状の２つのスライダー４８，４９を取り付け可能になっており、補強部２２の右側面にスライダー４８が取り付けられ、後端部３６の左側面にスライダー４９が取り付けられる。
【００４３】
前述した制御装置５５への配線接続作業を行ったのち、キャビネット１にカバー体３０を取り付けるには、図７に示されるように、カバー体３０を前方から後方に向けてボックス本体２０の前方側に形成される制御装置５５等の収納空間である制御ボックス空間Ｓを閉塞するように、側端板３２をキャビネット外側面２に沿うように移動していくとともに、側面板３５先端の後端部３６を側端部２７の前面と補強部２２の間の嵌合溝２８に向けて嵌入していく。
【００４４】
この嵌入時には、図８（ｂ）に示されるように、一方のスライダー４８のテーパー面に沿って、他方のスライダー４９のテーパー面が摺接されながら、後端部３６が後方の嵌合溝２８に向けて案内されていく。そして、図８（ｃ）に示されるように、後端部３６がさらに後方に移動されることで、嵌合溝２８内に後端部３６が円滑に嵌合される。しかも、スライダー４８をスライダー４９が乗り上げることで、後端部３６が側端部２７の右側端面側に案内され、嵌合溝２８の角部に圧着されることから、基片２１と側面板３５の両者間に隙間がほとんど形成されず、ボックス本体２０とカバー体３０の連結がより強固な構成となる。
【００４５】
そして、図９に示されるように、この嵌合溝２８に後端部３６が嵌合された後、取付ネジ１６をキャビネット内部３から挿通孔２ｃを介してナット３２ａに螺合することで、カバー体３０がキャビネット１に固着される。このように、キャビネット内部３からの取付ネジ１６の操作のみで、カバー体３０を着脱可能に取り付けることができ、棚板４５，底板４６，制御装置５５等を収納する制御ボックス空間Ｓを閉塞或いは開放可能な構成となっている。
【００４６】
しかも、ボックス本体２０とカバー体３０がキャビネット内部３より取付ネジ１５，１６によって螺着されているので、キャビネット１ヘのボックス本体２０およびカバー体３０の取付部が外部に露呈することが無く、またボックス本体２０およびカバー体３０の着脱がキャビネット内部３からしか操作できないので、外部からカバー体３０が容易に取り外されることなく、セキュリティ性を高めることができる。
【００４７】
また、カバー体３０の取り付けは、前方から後方へ向けて移動して取付操作が行えることで、少なくともカバー体３０の左右幅と同じ幅をキャビネット１側方に確保するだけで、カバー体３０を前方からの操作で取け付けることができ、キャビネット１および制御ボックス１９の設置場所の選択度を広げることができる。
【００４８】
ボックス本体２０とキャビネット外側面２に対しカバー体３０を装着していない状態では、ボックス本体２０の前面および、キャビネット外側面２と対向する側が連続した開放部として開放されるので、作業空間を十分に確保することが可能である（図３参照）。また、図２，図６に示されるように、ボックス本体２０の側片２５前端と、カバー体３０の前面板３１の側端板３２との間のキャビネット外側面２に配線挿通孔２ａを自由に設けることができ、この配線挿通孔２ａを介してキャビネット１と制御ボックス１９間の通線作業を行うことできる。そして通線作業後は、カバー体３０をボックス本体２０に向けて装着して制御ボックス空間Ｓを外部から閉塞して、制御装置５５を保護することができる（図９参照）。
【００４９】
尚、本実施例においては、図１０に示されるように、ボックス本体２０の上端部２９にはネジ穴２９ａが形成され、同様にカバー体３０の上端部３９にはネジ穴３９ａが形成されている。上部に位置する平板状の上部カバー材４０の前後端部には、ボックス本体２０およびカバー体３０のネジ穴２９ａ，３９ａに相対する位置にネジ貫通孔４０ａ，４０ａが形成され、中央部には複数の通気孔４０ｂ・・・が形成されている。
【００５０】
そして一対のネジ４４，４４をそれぞれネジ貫通孔４０ａ，４０ａを介してネジ穴２９ａ，３９ａに螺合することで、上端部２９，３９に上部カバー材４０が螺着され、ボックス本体２０とカバー体３０を強固に連結することができると共に、制御ボックス１９上面を外部から遮蔽して、制御ボックス空間Ｓ内の制御装置５５等の保護が図られると共に、制御ボックス１９の外観を体裁良く整えることができる。また、複数の通気孔４０ｂ・・・によって制御ボックス空間Ｓ内と外部との熱交換が行われ、制御装置５５の安定した運用が図られている。
【００５１】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、制御ボックス１９の上端部２９，３０に上部カバー材４０が螺着されることで、制御ボックス１９上面を外部から遮蔽でき制御装置５５の保護を図ることができるので、例えば悪意者の制御ボックス１９上部からの操作を確実に防止できセキュリティがより高められていることから好ましいが、本発明はこれに限定されるものではなく、本実施例のようにボックス本体２０およびカバー体３０の上下丈が高い場合、若しくは上端部２９，３０が室内の天井に近接している場合には、制御ボックス１９の上部から制御装置５５に対しての悪意のある操作は困難となるので、必ずしも上部カバー材４０を取り付ける必要はなく、適宜状況に応じて選択すると良い。
【００５２】
また、上記実施例では、スライダー４８，４９によってカバー体３０の後端部３６をボックス本体２０の嵌合溝２８に円滑に案内して嵌合できることから好ましいが、本発明はこれに限定されるものではなく、例えばスライダー４８，４９に代えて、凹凸の嵌合摺動部を設けるようにしても良い。
【００５３】
また、上記実施例では、棚板４５および底板４６をボックス本体２０に別途取り付けているが、予めボックス本体２０やカバー体３０に棚板４５、底板４６が取り付けられた構成であっても良い。
【００５４】
また、上記実施例では、キャビネット外側面２のボックス本体２０とカバー体３０との間に配線挿通孔２ａが形成されたことで、制御ボックス１９内の制御ボックス空間Ｓに給電ケーブル５８，５９の配線を容易にキャビネット１側に引き込めることから好ましいが、本発明はこれに限定されるものではなく、例えば配線挿通孔２ａを設けずに無線ＬＡＮ等のシステムを介して、キャビネット１内の各施解錠報知ランプ４および各施解錠装置５とを制御装置５５で間接制御するようにしても良い。
【００５５】
更に、上記実施例では、カバー体３０の側端板３２を介してキャビネット外側面２にネジ係合させているが、側端板３２を用いずに前面板３１の左端面に直接ネジ係合しても良い。
【図面の簡単な説明】
【００５６】
【図１】本発明の実施例における制御ボックスが設けられたキャビネットの全体像を示す正面図である。
【図２】制御ボックスおよび、この制御ボックスに取り付けられる各部材の分解組立斜視図である。
【図３】制御ボックスのボックス本体をキャビネットに組み付ける過程を示す断面図である。
【図４】（ａ）は、ボックス本体に棚板を取り付ける斜視図であり、（ｂ）は、ボックス本体に底板を取り付ける斜視図である。
【図５】（ａ）は、カード読取装置の組み立てを示す斜視図であり、（ｂ）は、カード読取装置を制御ボックスのカバー体に取り付ける斜視図である。
【図６】制御ボックス内に設けられる各制御装置とカード読取装置の配置位置および、これら各装置の配線構造を示す一部破断側面図である。
【図７】ボックス本体およびキャビネットにカバー体を組み付ける断面図である。
【図８】（ａ）は、ボックス本体の基片側端部前面の嵌合溝およびカバー体の側面板後端部への各スライダーの取り付けを示す要部拡大断面図であり、（ｂ）は、各スライダーによって基片の嵌合溝内にカバー体の側面板後端部が嵌入される要部拡大断面図であり、（ｃ）は、嵌合溝内に側面板後端部が嵌合された状態を示す要部拡大断面図である。
【図９】制御ボックスが組み立てられた状態を示す断面図である。
【図１０】制御ボックス上部を閉塞する上部カバー材の取り付けを示す斜視図である。
【符号の説明】
【００５７】
１                キャビネット
２                キャビネット外側面
２ａ              配線挿通孔
２ｂ、２ｃ        挿通孔
３                キャビネット内部
４                施解錠報知ランプ
５                施解錠装置
６、７、８        上段什器
９、１０、１１    下段什器
１２              手掛部
１３              ファイルケース等の物品
１５、１６        取付ネジ
１９              制御ボックス
２０              ボックス本体
２１              基片
２２              補強部
２２ａ            係合孔
２２ｂ            スライダー取付穴
２２ｃ            ナット
２５              側片
２５ａ            ナット
２６              補強部
２６ａ            ナット
２７              側端部（他方の端部）
２８              嵌合溝
２９              上端部
２９ａ            ネジ穴
３０              カバー体
３１              前面板
３１ａ            開口
３１ｂ            取付片
３２              側端板
３２ａ            ナット
３５              側面板
３６              後端部
３６ａ            スライダー取付穴
３９              上端部
３９ａ            ネジ穴
４０              上部カバー材
４０ａ            ネジ貫通孔
４０ｂ            通気孔
４１、４２        ネジ
４３、４４        ネジ
４５              棚板
４５−１          棚部
４５−２          背板
４５ａ            係合片
４５ｂ            連結片
４５ｃ            ネジ貫通孔
４６              底板
４６ａ            連結片
４６ｂ            ネジ貫通孔
４６ｃ            アジャスタ
４８、４９        スライダー
５０ａ            カード読取部
５０ｂ            施錠確認ランプ
５０ｃ            解錠確認ランプ
５１              カード読取装置（ＲＦＩＤリーダ／ライタユニット）
５２、５３        取付板
５４              ユニットカバー
５５              制御装置
５７              電源装置
５８              通信ケーブル
５９              給電ケーブル
６０              全施解錠装置
Ｓ                制御ボックス空間
【図１】
0004813198.tif 000002
【図２】
0004813198.tif 000003
【図３】
0004813198.tif 000004
【図４】
0004813198.tif 000005
【図５】
0004813198.tif 000006
【図６】
0004813198.tif 000007
【図７】
0004813198.tif 000008
【図８】
0004813198.tif 000009
【図９】
0004813198.tif 000010
【図１０】
0004813198.tif 000011